(57)【要約】【課題】内部の構造を外部から見え難くすることができると共に吸い込み抵抗の増大を抑えることができる床置き型空気調和機を提供する。【解決手段】床置き型空気調和機は、前面パネル２２と、第１カバー部１７ａとを備える。前面パネル２２は、底面から６００ｍｍ以下の高さに位置する第１吸込み開口１０ａを有し、前面に設けられる。第１カバー部１７ａは、第１吸込み開口１０ａの下端から後斜め上方まで延びる。そして、第１カバー部１７ａの上端と第１吸込み開口１０ａの上端とを結ぶ線Ｌ１と、第１吸込み開口１０ａの上端を含む水平面Ｐ１とが成す角度ｄ１は、０°＜ｄ１≦４５°を満たす。【選択図】図４
2007183015.tif 000002
【特許請求の範囲】
【請求項１】
底面（Ｂ）から６００ｍｍ以下の高さに位置する第１吸込み開口（１０ａ）を有し、前面に設けられる前面パネル（２２）と、
前記第１吸込み開口（１０ａ）の下端から後斜め上方まで延びる第１カバー部（１７ａ）と、
を備え、
前記第１カバー部（１７ａ）の上端と前記第１吸込み開口（１０ａ）の上端とを結ぶ線（Ｌ１）と、前記第１吸込み開口（１０ａ）の上端を含む水平面（Ｐ１）とが成す角度ｄ１が、０°＜ｄ１≦４５°を満たす、
床置き型空気調和機（１）。
【請求項２】
前記角度ｄ１は、５°≦ｄ１≦３５°を満たす、
請求項１に記載の床置き型空気調和機（１）。
【請求項３】
前記第１吸込み開口（１０ａ）の高さ方向寸法（ｈ１）は５ｍｍ以上である、
請求項１または２に記載の床置き型空気調和機（１）。
【請求項４】
前記前面パネル（２２）は、底面（Ｂ）から６００ｍｍ以下の高さに位置する第２吸込み開口（１０ｂ）をさらに有し、
前記第２吸込み開口（１０ｂ）の下端から後斜め上方まで延びる第２カバー部（１７ｂ）をさらに備え、
前記第２カバー部（１７ｂ）の上端と前記第２吸込み開口（１０ｂ）の上端とを結ぶ線（Ｌ２）と、前記第２吸込み開口（１０ｂ）上端を含む水平面（Ｐ２）とが成す角度ｄ２が、０°＜ｄ２≦４５°を満たす、
請求項１または２に記載の床置き型空気調和機（１）。
【請求項５】
前記第１吸込み開口（１０ａ）は、前記前面パネル（２２）の上部に設けられ、
前記前面パネル（２２）は、前記前面パネル（２２）の下部に設けられ第１吸込み開口（１０ａ）よりも高さ方向寸法（ｈ３）が大きい第３吸込み開口（１８）をさらに有し、
前記第３吸込み開口（１８）の下端から後斜め上方まで延びる第３カバー部（１９）をさらに備える、
請求項１から４のいずれかに記載の床置き型空気調和機（１）。
【請求項６】
前記第３カバー部（１９）の上端と前記第３吸込み開口（１８）の上端とを結ぶ線（Ｌ３）と、前記第３吸込み開口（１８）の上端を含む水平面（Ｐ３）とが成す角度ｄ３が、０°＜ｄ２≦４５°を満たす、
請求項５に記載の床置き型空気調和機（１）。
【請求項７】
前記第３カバー部（１９）の上端と前記第３吸込み開口（１８）上端とを結ぶ線（Ｌ３）と、前記第３吸込み開口（１８）上端を含む水平面（Ｐ３）とが成す角度ｄ３は、前記角度ｄ１より大きい、
請求項５または６に記載の床置き型空気調和機（１）。
【発明の詳細な説明】
【技術分野】
【０００１】
本発明は、床置き型空気調和機に関する。
【背景技術】
【０００２】
従来、室内の床面に置かれた状態で使用される床置き型空気調和機が知られている。この床置き型空気調和機には吸込み口と吹出し口とが設けられており、室内の空気が吸込み口から吸い込まれ、温度調整や空気清浄化などが行われた後に吹出し口から室内へと吹き出される（特許文献１参照）。
【特許文献１】特開平１０−３００１８６号公報
【発明の開示】
【発明が解決しようとする課題】
【０００３】
上記のような床置き型空気調和機では、前面に多数のスリットが設けられた吸い込みグリルが設けられることが多いが、正面視における美観向上の観点から、比較的少数の開口からなる吸込み開口を設けることが考えられる。この場合、このような吸込み開口を通して内部の構造が外部から見える恐れがあるため、美観のさらなる向上の観点から吸込み開口の奥にカバー部を設けることが有効である。このカバー部は、吸込み開口の下端から後斜め上方に延び、その上端は吸込み開口の上端と同じ高さに位置している。このカバー部により、内部の構造を外部から見え難くすることができる。しかし、その反面、カバー部が設けられることにより、吸込み開口から空気が吸い込まれ難くなり、吸い込み抵抗を増大させてしまう恐れがある。
【０００４】
本発明の課題は、内部の構造を外部から見え難くすることができると共に吸い込み抵抗の増大を抑えることができる床置き型空気調和機を提供することにある。
【課題を解決するための手段】
【０００５】
第１発明に係る床置き型空気調和機は、前面パネルと、第１カバー部とを備える。前面パネルは、底面から６００ｍｍ以下の高さに位置する第１吸込み開口を有し、前面に設けられる。第１カバー部は、第１吸込み開口の下端から後斜め上方まで延びる。そして、第１カバー部の上端と第１吸込み開口の上端とを結ぶ線と、第１吸込み開口の上端を含む水平面とが成す角度ｄ１は、０°＜ｄ１≦４５°を満たす。
【０００６】
この床置き型空気調和機では、第１吸込み開口は底面から６００ｍｍ以下の高さにあり、比較的低い位置にある。従って、第１吸込み開口は使用者の目線よりも低い位置にあることが多くなり、使用者は吸込み開口を斜め上方から見下ろすことになる。このため、上記のような角度範囲は使用者にとって死角となり易い。従って、角度ｄ１が上記のような角度範囲を満たすように第１カバー部を設けることにより、外部からの見え難さをできる限り維持すると共に、カバー部材の上端の位置を低くすることができる。これにより、この床置き型空気調和機では、内部の構造を外部から見え難くすることができると共に吸い込み抵抗の増大を抑えることができる。
【０００７】
第２発明に係る床置き型空気調和機は、第１発明の床置き型空気調和機であって、角度ｄ１は、５°≦ｄ１≦３５°を満たす。
この床置き型空気調和機では、上記の角度ｄ１が上記の範囲を満たすことにより、内部の構造の見え難さと、吸い込み抵抗の増大の抑制とをより適切に調和させることができる。
【０００８】
第３発明に係る床置き型空気調和機は、第１発明または第２発明の床置き型空気調和機であって、第１吸込み開口の高さ方向寸法は５ｍｍ以上である。
第１吸込み開口の高さ方向寸法があまりに小さければ、内部の構造が外部から見え難くなり、カバー部は不要となる。しかし、第１吸込み開口の高さ方向寸法が５ｍｍ以上の場合は、内部の構造を外部から見え難くするためにカバー部が必要であり、本発明が特に有効となる。
【０００９】
第４発明に係る床置き型空気調和機は、第１発明または第２発明の床置き型空気調和機であって、前面パネルは、底面から６００ｍｍ以下の高さに位置する第２吸込み開口をさらに有する。また、この床置き型空気調和機は、第２吸込み開口の下端から後斜め上方まで延びる第２カバー部をさらに備える。そして、第２カバー部の上端と第２吸込み開口の上端とを結ぶ線と、第２吸込み開口上端を含む水平面とが成す角度ｄ２が、０°＜ｄ２≦４５°を満たす。
この床置き型空気調和機では、第２カバー部に関する角度ｄ２についても第１カバー部に関する角度ｄ１と同様の条件が満たされる。このため、複数の吸込み開口が設けられる場合にも、内部の構造を外部から見え難くすることができると共に吸い込み抵抗の増大を抑えることができる。
【００１０】
第５発明に係る床置き型空気調和機は、第１発明から第４発明のいずれかの床置き型空気調和機であって、第１吸込み開口は、前面パネルの上部に設けられる。また、前面パネルは、第３吸込み開口をさらに有する。第３吸込み開口は、前面パネルの下部に設けられ第１吸込み開口よりも高さ方向寸法が大きい開口である。そして、この床置き型空気調和機は、第３吸込み開口の下端から後斜め上方まで延びる第３カバー部をさらに備える。
【００１１】
この床置き型空気調和機では、第１吸込み開口は前面パネルの上部に設けられている。一般に、吸込み開口が上方に設けられる程、使用者の視線の角度が浅くなり、内部の構造が見え易くなる。しかし、この床置き型空気調和機では、第１カバー部は、上記の角度ｄ１に関する条件を満たすことにより、内部の構造の見え難くすることができる。一方、第３吸込み開口は前面パネルの下部に設けられるため、使用者の視線の角度がきつくなり、内部の構造が見え難い。このため、第３吸込み開口に関しては、第１吸込み開口よりも高さ方向寸法を大きくしても、内部の構造が見え難い。このため、内部の構造を見え難くすると共に、吸い込み抵抗を低減することができる。
【００１２】
第６発明に係る床置き型空気調和機は、第５発明の床置き型空気調和機であって、第３カバー部の上端と第３吸込み開口の上端とを結ぶ線と、第３吸込み開口の上端を含む水平面とが成す角度ｄ３が、０°＜ｄ２≦４５°を満たす。
この床置き型空気調和機では、第３カバー部について角度ｄ３が上記の条件を満たす。このため、第３カバー部についても、内部の構造を外部から見え難くすることができると共に吸い込み抵抗の増大をさらに抑えることができる。
【００１３】
第７発明に係る床置き型空気調和機は、第５発明または第６発明の床置き型空気調和機であって、第３カバー部の上端と第３吸込み開口上端とを結ぶ線と、第３吸込み開口上端を含む水平面とが成す角度ｄ３は、角度ｄ１より大きい。
この床置き型空気調和機では、第３カバー部に関する角度ｄ３が第１カバー部に関する角度ｄ１よりも大きい。このため、第３吸込み開口での吸い込み抵抗をより低減することができる。また、第３吸込み開口は、第１吸込み開口よりも低い位置にあるため、第１吸込み開口よりも死角が広く、内部の構造が見え難い。これにより、この床置き型空気調和機では、第３吸込み開口に関して、内部の構造を外部から見え難くすることができると共に吸い込み抵抗の増大をより抑えることができる。
【発明の効果】
【００１４】
第１発明に係る床置き型空気調和機では、第１吸込み開口は底面から６００ｍｍ以下の高さにあり、比較的低い位置にある。従って、第１吸込み開口は使用者の目線よりも低い位置にあることが多くなり、使用者は吸込み開口を斜め上方から見下ろすことになる。このため、上記のような角度範囲は使用者にとって死角となり易い。従って、角度ｄ１が上記のような角度範囲を満たすように第１カバー部を設けることにより、外部からの見え難さをできる限り維持すると共に、カバー部材の上端の位置を低くすることができる。これにより、この床置き型空気調和機では、内部の構造を外部から見え難くすることができると共に吸い込み抵抗の増大を抑えることができる。
【００１５】
第２発明に係る床置き型空気調和機では、上記の角度ｄ１が上記の範囲を満たすことにより、内部の構造の見え難さと、吸い込み抵抗の増大の抑制とをより適切に調和させることができる。
第３発明に係る床置き型空気調和機では、第１吸込み開口の高さ方向寸法が５ｍｍ以上であり、この場合、本発明が特に有効となる。
【００１６】
第４発明に係る床置き型空気調和機では、第２カバー部に関する角度ｄ２についても第１カバー部に関する角度ｄ１と同様の条件が満たされる。このため、複数の吸込み開口が設けられる場合にも、内部の構造を外部から見え難くすることができると共に吸い込み抵抗の増大を抑えることができる。
第５発明に係る床置き型空気調和機では、第１吸込み開口は前面パネルの上部に設けられている。一般に、吸込み開口が上方に設けられる程、使用者の視線の角度が浅くなり、内部の構造が見え易くなる。しかし、この床置き型空気調和機では、第１カバー部は、上記の角度ｄ１に関する条件を満たすことにより、内部の構造の見え難くすることができる。一方、第３吸込み開口は前面パネルの下部に設けられるため、使用者の視線の角度がきつくなり、内部の構造が見え難い。このため、第３吸込み開口に関しては、第１吸込み開口よりも高さ方向寸法を大きくしても、内部の構造が見え難い。このため、内部の構造を見え難くすると共に、吸い込み抵抗を低減することができる。
【００１７】
第６発明に係る床置き型空気調和機では、第３カバー部について角度ｄ３が上記の条件を満たす。このため、第３カバー部についても、内部の構造を外部から見え難くすることができると共に吸い込み抵抗の増大をさらに抑えることができる。
第７発明に係る床置き型空気調和機では、第３カバー部に関する角度ｄ３が第１カバー部に関する角度ｄ１よりも大きい。このため、第３吸込み開口での吸い込み抵抗をより低減することができる。また、第３吸込み開口は、第１吸込み開口よりも低い位置にあるため、第１吸込み開口よりも死角が広く、内部の構造が見え難い。これにより、この床置き型空気調和機では、第３吸込み開口に関して、内部の構造を外部から見え難くすることができると共に吸い込み抵抗の増大をより抑えることができる。
【発明を実施するための最良の形態】
【００１８】
＜構造＞
本発明の一実施形態に係る床置き型空気調和機１を図１から図３に示す。図１は、床置き型空気調和機１の前面図であり、図２は、床置き型空気調和機１の側面図である。また、図３は、床置き型空気調和機１の側面断面図である。この床置き型空気調和機１は、床置き型の室内機であり、ケーシング２と、フィルター３ａと、室内熱交換器４と、送風装置５とを備える。なお、以下の説明において、上下左右という場合は、床置き型空気調和機１の前面視における上下左右を意味している。
【００１９】
〔ケーシング２〕
ケーシング２は、合成樹脂製の中空の筐体からなり、フィルター３ａ、室内熱交換器４、ベルマウス１３、送風装置５を内部に収納している。ケーシング２には、上部吹出し口６、下部吹出し口７、第１側部吸込み口８，第２側部吸込み口９、上部吸込み部１０、下部吸込み部１１が設けられている。
【００２０】
上部吹出し口６と下部吹出し口７とはケーシング２の前面に設けられている。上部吹出し口６は、ケーシング２の前面の上端に沿って設けられた横長形状の開口であり、室内へ吹き出される空気が通る。下部吹出し口７は、ケーシング２の前面の下端に沿って設けられた横長形状の開口であり、室内へ吹き出される空気が通る。なお、上部吹出し口６には、上部吹出し口６から吹き出される空気を案内する第１フラップ６１が回動自在に設けられており、第１フラップ６１によって上部吹出し口６を開閉することができる。また、下部吹出し口７には、下部吹出し口７から吹き出される空気を案内する第２フラップ６２が回動自在に設けられている。
【００２１】
第１側部吸込み口８と第２側部吸込み口９とは、ケーシング２の側面に設けられている。第１側部吸込み口８は、ケーシング２の右側面の前端に沿って設けられた縦長形状の開口であり、室内からケーシング２の内部に吸い込まれる空気が通る。第２側部吸込み口９は、ケーシング２の左側面の前端に沿って設けられた縦長形状の開口であり、室内からケーシング２の内部に吸い込まれる空気が通る。
【００２２】
上部吸込み部１０と下部吸込み部１１とはケーシング２の前面に設けられている。上部吸込み部１０は、上部吹出し口６の下方に設けられており、図４に示すように、第１吸込み開口１０ａと、第２吸込み開口１０ｂとを有する。第１吸込み開口１０ａと第２吸込み開口１０ｂとは、いずれも横長形状の開口であり、室内からケーシング２の内部に吸い込まれる空気が通る。
【００２３】
第１吸込み開口１０ａは、上部吹き出し口６の下方に配置されており、底面Ｂから６００ｍｍ以下の高さに位置している。第１吸込み開口１０ａの高さ方向寸法ｈ１は５ｍｍ以上であり、ここでは約１０ｍｍである。また、第１吸込み開口１０ａの後方には第１カバー部１７ａが設けられている。第１カバー部１７ａは、第１吸込み開口１０ａの下端から後斜め上方まで延びており、第１吸込み開口１０ａの後方を覆うように緩やかに湾曲した形状を有している。そして、第１カバー部１７ａの上端と第１吸込み開口１０ａの上端とを結ぶ線Ｌ１と、第１吸込み開口１０ａの上端を含む水平面Ｐ１とが成す角度ｄ１は、０°＜ｄ１≦４５°を満たしている。
【００２４】
第２吸込み開口１０ｂは第１吸込み開口１０ａの下方に配置されており、第１吸込み開口１０ａに近接している。第２吸込み開口１０ｂの高さ方向寸法ｈ２は５ｍｍ以上であり、ここでは約１０ｍｍである。従って、第１吸込み開口１０ａの高さ方向寸法ｈ１と、第２吸込み開口１０ｂの高さ方向寸法ｈ２とは概ね同じである。また、第２吸込み開口１０ｂの後方には第２カバー部１７ｂが設けられている。第２カバー部１７ｂは、第２吸込み開口１０ｂの下端から後斜め上方まで延びており、第２吸込み開口１０ｂの後方を覆うように緩やかに湾曲した形状を有している。そして、第２カバー部１７ｂの上端と第２吸込み開口１０ｂの上端とを結ぶ線Ｌ２と、第２吸込み開口１０ｂの上端を含む水平面Ｐ２とが成す角度ｄ２は、０°＜ｄ２≦４５°を満たしている。なお、ここでは、ｄ１＝ｄ２である。
【００２５】
下部吸込み部１１は、下部吹出し口７の上方に設けられており、図５に示すように、第３吸込み開口１８を有する。第３吸込み開口１８は、横長形状の開口であり、室内からケーシング２の内部に吸い込まれる空気が通る。第３吸込み開口１８は、底面Ｂから約１５０ｍｍの高さに位置している。第３吸込み開口１８の高さ方向寸法ｈ３は、第１吸込み開口１０ａの高さ方向寸法ｈ１および第２吸込み開口１０ｂの高さ方向寸法ｈ２よりも大きく、ここでは約２０ｍｍである。また、第３吸込み開口１８の後方には、第３カバー部１９が設けられている。第３カバー部１９は、第３吸込み開口１８の下端から後斜め上方まで延びており、第３吸込み開口１８の後方を覆うように緩やかに湾曲した形状を有している。そして、第３カバー部１９の上端と第３吸込み開口１８の上端とを結ぶ線Ｌ３と、第３吸込み開口１８の上端を含む水平面Ｐ３とが成す角度ｄ３は、０°＜ｄ３≦４５°を満たす。なお、ここでは、ｄ１＝ｄ３である。
【００２６】
なお、ケーシング２の前面のうち上部吸込み部１０と下部吸込み部１１との間には、開口が設けられていない平坦なフラットパネル部２０が設けられている。
また、ケーシング２は、ケーシング本体２１と、ケーシング本体２１の前面に着脱自在に取り付けられる前面パネル２２とを有しており、下部吹出し口７と、第１側部吸込み口８、第２側部吸込み口９、上部吸込み部１０、下部吸込み部１１は、前面パネル２２に設けられている。なお、上部吹出し口６は本体ケーシング２１に設けられている。
【００２７】
前面パネル２２は、ケーシング本体２１の前面よりも小さな外形を有しており、前面視において、上部吹出し口６の下方に配置されている。上部吸込み部１０は、前面パネル２２の上端近傍に配置されており、前面パネル２２の上部に設けられている。下部吹出し口７は、前面パネル２２の下端近傍に配置されている。また、下部吸込み部１１は上述したように下部吹出し口７の上方に設けられており、前面パネル２２の下部に設けられている。さらに、前面パネル２２の前面は、ケーシング本体２１の前面から前方に僅かな距離を隔てて配置されており、前面パネル２２の前面側端部とケーシング本体２１の前面とを繋ぐ前面パネル２２の側面に、第１側部吸込み口８および第２側部吸込み口９が設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、上部吸込み部１０および下部吸い込み部１１の近傍の前面パネル２２の厚みは、約２ｍｍである。
【００２８】
以上のように、前面パネル２２のフラットパネル部２０の周囲の上下左右４方向には、それぞれ第１側部吸込み口８、第２側部吸込み口９、上部吸込み部１０、下部吸込み部１１が配置されており、フラットパネル部２０の上下左右４方向から空気が吸い込まれる。
ケーシング本体２１は、前面が大きく開口しており、ケーシング本体２１の内部には、フィルター３ａ、室内熱交換器４、ベルマウス１３、送風装置５が、ケーシング本体２１の前面の開口に対向して、前方から後方に向けて順に配置されている。
【００２９】
また、ケーシング２の内部には、図３に示すように、吸い込み通路Ｐ１と吹き出し通路Ｐ２，Ｐ３とが形成されている。
吸い込み通路Ｐ１は、前面パネル２２の後方に形成されており、第１側部吸込み口８、第２側部吸込み口９、上部吸込み部１０、下部吸込み部１１から吸い込まれた空気をベルマウス１３の空気導入口１４まで案内する。吸い込み通路Ｐ１には、フィルター３ａ、室内熱交換器４が配置されている。
【００３０】
吹き出し通路Ｐ２，Ｐ３は、室内熱交換器４の下流において室内熱交換器４と対向して配置されるベルマウス１３の空気導入口１４（後述）から上部吹出し口６および下部吹出し口７まで案内する通路であり、第１吹き出し通路Ｐ２と第２吹き出し通路Ｐ３とを有する。第１吹き出し通路Ｐ２は、空気導入口１４から後方へ向かいファンカバー５３（後述）の内部を通って上部吹出し口６に繋がる通路である。第２吹き出し通路Ｐ３は、空気導入口１４から後方へ向かいファンカバー５３の内部を通って下部吹出し口７に繋がる通路である。
【００３１】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、吸い込み通路Ｐ１を通る空気の流れにおいて、各吸込み口８−１１の下流に位置している。フィルター３ａは、各吸込み口８−１１から吸い込まれた空気を後方に透過させ、透過する空気を清浄化する。フィルター３ａの形状については後に詳述する。
【００３２】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、吸い込み通路Ｐ１を通る空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００３３】
〔送風装置５〕
送風装置５は、室内熱交換器４の後方において室内熱交換器４に対向して配置されている。送風装置５は、吸い込み通路Ｐ１および吹き出し通路Ｐ２，Ｐ３を通る空気の流れにおいて、室内熱交換器４の下流に位置している。また、送風装置５は、遠心方向に風を吹き出す遠心ファンの一種であるターボファンであり、各吸込み口８−１１から吸い込まれ各吹出し口６，７から吹き出される空気の流れを生成する。送風装置５は、ファンロータ５１、ファンモータ５２、ファンカバー５３を有している。
【００３４】
ファンロータ５１は、回転軸ＡＸ１が前後方向に水平になるように配置されており、回転軸ＡＸ１から螺旋を描きながら離れるように配置された複数枚の羽根を有している。
ファンモータ５２は、ファンロータ５１を回転駆動する駆動源であり、ファンロータ５１の後方に配置される。
ファンカバー５３は、ファンロータ５１の前方に配置される部材であり、空気導入口１４から吹き出される空気をファンロータ５１に案内する。ファンカバー５３の前面には、ファンカバー５３内に取り込まれる空気が通る開口が設けられている。ファンカバー５３の前面の開口を通った空気は、ファンロータ５１によって遠心方向に吹き出されることにより上下に分岐し、上部吹出し口６および下部吹出し口７から室内に吹き出される。
ファンカバー５３は、ファンロータ５１およびファンモータ５２を収納したケーシングである。ファンカバー５３の前面には、ファンカバー５３内に取り込まれる空気が通る開口が設けられている。また、ファンカバー５３の上部および下部には、ファンカバー５３から吹き出される空気が通る開口が設けられている。送風装置５で生成された遠心方向へ吹き出す空気流れは、ファンカバー５３において上下に分岐して上部吹出し口６および下部吹出し口７から室内に吹き出される。
【００３５】
〔ベルマウス１３〕
ベルマウス１３は、室内熱交換器４と送風装置５との間に設けられており、吸い込み通路Ｐ１と吹き出し通路Ｐ２，Ｐ３とを仕切る部材である。ベルマウス１３は、平坦部１５と円管部１６とを有している。平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。なお、円管部１６は前端側が拡径するように湾曲しており、空気導入口１４の周縁と緩やかに繋がっている。また、円管部１６の後端は、ファンカバー５３の前面の開口を通ってファンカバー５３の内部に入り込んでいる。なお、空気導入口１４は、前面視において室内熱交換器４よりも小さな外形を有しており、円管部１６も前面視において室内熱交換器４よりも小さな外形を有している。
【００３６】
＜特徴＞
（１）
この床置き型空気調和機１では、第１吸込み開口１０ａは底面Ｂから６００ｍｍ以下という比較的低い位置にあり、使用者の目線よりも低い位置にあることが多く、この場合、使用者は吸込み開口を斜め上方から見下ろすことになる。このため、角度ｄ１が４５°以下となる範囲は、使用者にとって死角となり易い。このため、角度ｄ１が４５°以下となるように第１カバー部１７ａを設けることによって、ケーシング２の内部の見え難さを確保することができる。また、角度ｄ１が０°を越えるように、すなわち、第１カバー部１７ａの上端が第１吸込み開口１０ａの上端よりも低くなるように第１カバー部１７ａを設けることによって、従来よりも吸い込み抵抗を低減することができる。このように、０°＜ｄ１≦４５°を満たすように第１カバー部１７ａが設けられることにより、外部からの見え難さをできる限り維持すると共に、吸い込み抵抗を低減することができる。
なお、上記の効果は、第２吸込み開口１０ｂおよび第２カバー部１７ｂに関しても同様である。
【００３７】
（２）
この床置き型空気調和機１では、第１吸込み開口１０ａの高さ方向寸法が約１０ｍｍであるため、高さ方向寸法が５ｍｍ未満の場合よりも内部の構造が見え易い。このため、内部の構造を外部から見え難くするためにカバー部が必要である。そこで、上記のように第１カバー部１７ａが設けられることにより、内部の構造を外部から見え難くすると共に、第１カバー部１７ａを設けることによる吸い込み抵抗の増大という弊害を抑えることができる。
なお、この効果は、第２吸込み開口１０ｂおよび第２カバー部１７ｂに関しても同様である。
【００３８】
（３）
この床置き型空気調和機１では、第１吸込み開口１０ａおよび第２吸込み開口１０ｂは前面パネル２２の上部に設けられている。一般に、吸込み開口が上方に設けられる程、使用者の視線の角度が浅くなる（水平に近くなる）ため、内部の構造が見え易くなる。また、吸込み開口の高さ方向寸法が大きいほど内部の構造が見え易くなる。そこで、この床置き型空気調和機１では、第１吸込み開口１０ａおよび第２吸込み開口１０ｂの高さ方向寸法ｈ１，ｈ２を比較的小さくすることによって内部の構造の見え難くしている。また、２つの吸込み開口を設けることにより、１つの吸込み開口の高さ方向寸法を小さくすると共に吸い込み空気の風量を確保することができる。
【００３９】
一方、第３吸込み開口１８は、前面パネル２２の下部に設けられているため、使用者の視線の角度がきつくなり、内部の構造が見え難い。このため、第３吸込み開口１８は、第１吸込み開口１０ａよりも高さ方向寸法が大きくても、内部の構造が見え難い。そこで、この床置き型空気調和機１では、第３吸込み開口１８の高さ方向寸法ｈ３が第１吸込み開口１０ａよりも大きくなっており、吸い込み抵抗が低くなっている。さらに、０°＜ｄ１≦４５°を満たすように第３カバー部１９が設けられるため、吸い込み抵抗がより低くなっている。また、使用者の視線に入り易い部分には第３カバー部１９が設けられているため、ケーシング２の内部の騒音が外部に漏れることを抑えることができ、遮音効果も奏することができる。
【００４０】
＜他の実施形態＞
（Ａ）
上記の実施形態では、０°＜ｄ１≦４５°であるが、より望ましくは５°≦ｄ１≦３５°である。角度ｄ２および角度ｄ３についても同様である。
（Ｂ）
上記の実施形態では、ｄ１＝ｄ２＝ｄ３であるが、角度ｄ１と角度ｄ２と角度ｄ３とがそれぞれ異なる大きさであってもよい。また、角度ｄ１と角度ｄ２とが同じ大きさであり角度ｄ３のみが異なる大きさであってもよい。例えば、角度ｄ３が角度ｄ１および角度ｄ２より大きくてもよい。第３吸込み開口１８は第１吸込み開口１０ａおよび第２吸込み開口１０ｂよりも下方に位置しているため、使用者の死角となる部分が大きく、角度ｄ３が角度ｄ１より大きくても内部の構造を外部から見え難くすることができる。
【産業上の利用可能性】
【００４１】
本発明は、内部の構造を外部から見え難くすることができると共に吸い込み抵抗の増大を抑えることができる効果を有し、床置き型空気調和機として有用である。
【図面の簡単な説明】
【００４２】
【図１】床置き型空気調和機の前面図。
【図２】床置き型空気調和機の側面図。
【図３】床置き型空気調和機の側面断面図。
【図４】上部吸込み部近傍の側面断面図。
【図５】下部吸込み部近傍の側面断面図。
【符号の説明】
【００４３】
１      床置き型空気調和機
１０ａ  第１吸込み開口
１０ｂ  第２吸込み開口
１７ａ  第１カバー部
１７ｂ  第２カバー部
１８    第３吸込み開口
１９    第３カバー部
２２    前面パネル
Ｂ      底面
【図１】
2007183015.tif 000003
【図２】
2007183015.tif 000004
【図３】
2007183015.tif 000005
【図４】
2007183015.tif 000006
【図５】
2007183015.tif 000007
【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
底面（Ｂ）から６００ｍｍ以下の高さに位置し上部に設けられる第１吸込み開口（１０ａ）と、下部に設けられ前記第１吸込み開口（１０ａ）よりも高さ方向寸法（ｈ３）が大きい第３吸込み開口（１８）と、前記第１吸込み開口（１０ａ）と前記第３吸込み開口（１８）との間に設けられるフラットパネル部（２０）とを有し、前面に設けられる前面パネル（２２）と、
前記フラットパネル部（２０）の後方に配置される熱交換器（４）と、
前記熱交換器（４）の後方に配置される送風装置（５）と、
前記第１吸込み開口（１０ａ）の下端から後斜め上方まで延びる第１カバー部（１７ａ）と、
前記第３吸込み開口（１８）の下端から後斜め上方まで延びる第３カバー部（１９）と、
を備え、
前記第１カバー部（１７ａ）の上端と前記第１吸込み開口（１０ａ）の上端とを結ぶ線（Ｌ１）と、前記第１吸込み開口（１０ａ）の上端を含む水平面（Ｐ１）とが成す角度ｄ１が、０°＜ｄ１≦４５°を満たし、
前記第３カバー部（１９）の上端と前記第３吸込み開口（１８）上端とを結ぶ線（Ｌ３）と、前記第３吸込み開口（１８）上端を含む水平面（Ｐ３）とが成す角度ｄ３は、前記角度ｄ１より大きい、
床置き型空気調和機（１）。
【請求項２】
前記角度ｄ１は、５°≦ｄ１≦３５°を満たす、
請求項１に記載の床置き型空気調和機（１）。
【請求項３】
前記第１吸込み開口（１０ａ）の高さ方向寸法（ｈ１）は５ｍｍ以上である、
請求項１または２に記載の床置き型空気調和機（１）。
【請求項４】
前記前面パネル（２２）は、底面（Ｂ）から６００ｍｍ以下の高さに位置する第２吸込み開口（１０ｂ）をさらに有し、
前記第２吸込み開口（１０ｂ）の下端から後斜め上方まで延びる第２カバー部（１７ｂ）をさらに備え、
前記第２カバー部（１７ｂ）の上端と前記第２吸込み開口（１０ｂ）の上端とを結ぶ線（Ｌ２）と、前記第２吸込み開口（１０ｂ）上端を含む水平面（Ｐ２）とが成す角度ｄ２が、０°＜ｄ２≦４５°を満たす、
請求項１または２に記載の床置き型空気調和機（１）。
【請求項５】
前記角度ｄ３が、０°＜ｄ２≦４５°を満たす、
請求項１に記載の床置き型空気調和機（１）。
【請求項６】
前記第１カバー部（１７ａ）および第３カバー部（１９）は、斜め下方に膨出するように湾曲した円弧状の形状を有する、
請求項１から５のいずれかに記載の床置き型空気調和機（１）。
【手続補正２】
【補正対象書類名】明細書
【補正対象項目名】全文
【補正方法】変更
【補正の内容】
【発明の詳細な説明】
【技術分野】
【０００１】
本発明は、床置き型空気調和機に関する。
【背景技術】
【０００２】
従来、室内の床面に置かれた状態で使用される床置き型空気調和機が知られている。この床置き型空気調和機には吸込み口と吹出し口とが設けられており、室内の空気が吸込み口から吸い込まれ、温度調整や空気清浄化などが行われた後に吹出し口から室内へと吹き出される（特許文献１参照）。
【特許文献１】特開平１０−３００１８６号公報
【発明の開示】
【発明が解決しようとする課題】
【０００３】
上記のような床置き型空気調和機では、前面に多数のスリットが設けられた吸い込みグリルが設けられることが多いが、正面視における美観向上の観点から、比較的少数の開口からなる吸込み開口を設けることが考えられる。この場合、このような吸込み開口を通して内部の構造が外部から見える恐れがあるため、美観のさらなる向上の観点から吸込み開口の奥にカバー部を設けることが有効である。このカバー部は、吸込み開口の下端から後斜め上方に延び、その上端は吸込み開口の上端と同じ高さに位置している。このカバー部により、内部の構造を外部から見え難くすることができる。しかし、その反面、カバー部が設けられることにより、吸込み開口から空気が吸い込まれ難くなり、吸い込み抵抗を増大させてしまう恐れがある。
【０００４】
本発明の課題は、内部の構造を外部から見え難くすることができると共に吸い込み抵抗の増大を抑えることができる床置き型空気調和機を提供することにある。
【課題を解決するための手段】
【０００５】
第１発明に係る床置き型空気調和機は、前面パネルと、熱交換器と、送風装置と、第１カバー部と、第３カバー部とを備える。前面パネルは、底面から６００ｍｍ以下の高さに位置し前面パネルの上部に設けられる第１吸込み開口と、前面パネルの下部に設けられ第１吸込み開口よりも高さ方向寸法が大きい第３吸込み開口と、第１吸込み開口と第３吸込み開口との間に設けられるフラットパネル部とを有し、前面に設けられる。熱交換器は、フラットパネル部の後方に配置される。送風装置は、熱交換器の後方に配置される。第１カバー部は、第１吸込み開口の下端から後斜め上方まで延びる。第３カバー部は、第３吸込み開口の下端から後斜め上方まで延びる。そして、第１カバー部の上端と第１吸込み開口の上端とを結ぶ線と、第１吸込み開口の上端を含む水平面とが成す角度ｄ１は、０°＜ｄ１≦４５°を満たす。また、第３カバー部の上端と第３吸込み開口上端とを結ぶ線と、第３吸込み開口上端を含む水平面とが成す角度ｄ３は、上記の角度ｄ１より大きい。
【０００６】
この床置き型空気調和機では、第１吸込み開口は底面から６００ｍｍ以下の高さにあり、比較的低い位置にある。従って、第１吸込み開口は使用者の目線よりも低い位置にあることが多くなり、使用者は吸込み開口を斜め上方から見下ろすことになる。このため、上記のような角度範囲は使用者にとって死角となり易い。従って、角度ｄ１が上記のような角度範囲を満たすように第１カバー部を設けることにより、外部からの見え難さをできる限り維持すると共に、カバー部材の上端の位置を低くすることができる。これにより、この床置き型空気調和機では、内部の構造を外部から見え難くすることができると共に吸い込み抵抗の増大を抑えることができる。
【０００７】
また、一般に、吸込み開口が上方に設けられる程、使用者の視線の角度が浅くなり、内部の構造が見え易くなる。しかし、この床置き型空気調和機では、第１カバー部は、上記の角度ｄ１に関する条件を満たすことにより、内部の構造の見え難くすることができる。一方、第３吸込み開口は前面パネルの下部に設けられるため、使用者の視線の角度がきつくなり、内部の構造が見え難い。そこで、この床置き型空気調和機では、第３カバー部に関する角度ｄ３が第１カバー部に関する角度ｄ１よりも大きくなっている。このため、第３吸込み開口での吸い込み抵抗をより低減することができる。また、第３吸込み開口は、第１吸込み開口よりも低い位置にあるため、第１吸込み開口よりも死角が広く、内部の構造が見え難い。これにより、この床置き型空気調和機では、第３吸込み開口に関して、内部の構造を外部から見え難くすることができると共に吸い込み抵抗の増大をより抑えることができる。
【０００８】
第２発明に係る床置き型空気調和機は、第１発明の床置き型空気調和機であって、角度ｄ１は、５°≦ｄ１≦３５°を満たす。
【０００９】
この床置き型空気調和機では、上記の角度ｄ１が上記の範囲を満たすことにより、内部の構造の見え難さと、吸い込み抵抗の増大の抑制とをより適切に調和させることができる。
【００１０】
第３発明に係る床置き型空気調和機は、第１発明または第２発明の床置き型空気調和機であって、第１吸込み開口の高さ方向寸法は５ｍｍ以上である。
【００１１】
第１吸込み開口の高さ方向寸法があまりに小さければ、内部の構造が外部から見え難くなり、カバー部は不要となる。しかし、第１吸込み開口の高さ方向寸法が５ｍｍ以上の場合は、内部の構造を外部から見え難くするためにカバー部が必要であり、本発明が特に有効となる。
【００１２】
第４発明に係る床置き型空気調和機は、第１発明または第２発明の床置き型空気調和機であって、前面パネルは、底面から６００ｍｍ以下の高さに位置する第２吸込み開口をさらに有する。また、この床置き型空気調和機は、第２吸込み開口の下端から後斜め上方まで延びる第２カバー部をさらに備える。そして、第２カバー部の上端と第２吸込み開口の上端とを結ぶ線と、第２吸込み開口上端を含む水平面とが成す角度ｄ２が、０°＜ｄ２≦４５°を満たす。
【００１３】
この床置き型空気調和機では、第２カバー部に関する角度ｄ２についても第１カバー部に関する角度ｄ１と同様の条件が満たされる。このため、複数の吸込み開口が設けられる場合にも、内部の構造を外部から見え難くすることができると共に吸い込み抵抗の増大を抑えることができる。
【００１４】
第５発明に係る床置き型空気調和機は、第１発明の床置き型空気調和機であって、上記角度ｄ３が、０°＜ｄ２≦４５°を満たす。
【００１５】
この床置き型空気調和機では、第３カバー部について角度ｄ３が上記の条件を満たす。このため、第３カバー部についても、内部の構造を外部から見え難くすることができると共に吸い込み抵抗の増大をさらに抑えることができる。
【００１６】
第６発明に係る床置き型空気調和機は、第１発明から第５発明のいずれかの床置き型空気調和機であって、第１カバー部および第３カバー部は、斜め下方に膨出するように湾曲した円弧状の形状を有する。
【発明の効果】
【００１７】
第１発明に係る床置き型空気調和機では、第１吸込み開口は底面から６００ｍｍ以下の高さにあり、比較的低い位置にある。従って、第１吸込み開口は使用者の目線よりも低い位置にあることが多くなり、使用者は吸込み開口を斜め上方から見下ろすことになる。このため、上記のような角度範囲は使用者にとって死角となり易い。従って、角度ｄ１が上記のような角度範囲を満たすように第１カバー部を設けることにより、外部からの見え難さをできる限り維持すると共に、カバー部材の上端の位置を低くすることができる。これにより、この床置き型空気調和機では、内部の構造を外部から見え難くすることができると共に吸い込み抵抗の増大を抑えることができる。
【００１８】
また、一般に、吸込み開口が上方に設けられる程、使用者の視線の角度が浅くなり、内部の構造が見え易くなる。しかし、この床置き型空気調和機では、第１カバー部は、上記の角度ｄ１に関する条件を満たすことにより、内部の構造の見え難くすることができる。一方、第３吸込み開口は前面パネルの下部に設けられるため、使用者の視線の角度がきつくなり、内部の構造が見え難い。そこで、この床置き型空気調和機では、第３カバー部に関する角度ｄ３が第１カバー部に関する角度ｄ１よりも大きくなっている。このため、第３吸込み開口での吸い込み抵抗をより低減することができる。また、第３吸込み開口は、第１吸込み開口よりも低い位置にあるため、第１吸込み開口よりも死角が広く、内部の構造が見え難い。これにより、この床置き型空気調和機では、第３吸込み開口に関して、内部の構造を外部から見え難くすることができると共に吸い込み抵抗の増大をより抑えることができる。
【００１９】
第２発明に係る床置き型空気調和機では、上記の角度ｄ１が上記の範囲を満たすことにより、内部の構造の見え難さと、吸い込み抵抗の増大の抑制とをより適切に調和させることができる。
【００２０】
第３発明に係る床置き型空気調和機では、第１吸込み開口の高さ方向寸法が５ｍｍ以上であり、この場合、本発明が特に有効となる。
【００２１】
第４発明に係る床置き型空気調和機では、第２カバー部に関する角度ｄ２についても第１カバー部に関する角度ｄ１と同様の条件が満たされる。このため、複数の吸込み開口が設けられる場合にも、内部の構造を外部から見え難くすることができると共に吸い込み抵抗の増大を抑えることができる。
【００２２】
第５発明に係る床置き型空気調和機では、第３カバー部について角度ｄ３が上記の条件を満たす。このため、第３カバー部についても、内部の構造を外部から見え難くすることができると共に吸い込み抵抗の増大をさらに抑えることができる。
【発明を実施するための最良の形態】
【００２３】
＜構造＞
本発明の一実施形態に係る床置き型空気調和機１を図１から図３に示す。図１は、床置き型空気調和機１の前面図であり、図２は、床置き型空気調和機１の側面図である。また、図３は、床置き型空気調和機１の側面断面図である。この床置き型空気調和機１は、床置き型の室内機であり、ケーシング２と、フィルター３ａと、室内熱交換器４と、送風装置５とを備える。なお、以下の説明において、上下左右という場合は、床置き型空気調和機１の前面視における上下左右を意味している。
【００２４】
〔ケーシング２〕
ケーシング２は、合成樹脂製の中空の筐体からなり、フィルター３ａ、室内熱交換器４、ベルマウス１３、送風装置５を内部に収納している。ケーシング２には、上部吹出し口６、下部吹出し口７、第１側部吸込み口８，第２側部吸込み口９、上部吸込み部１０、下部吸込み部１１が設けられている。
【００２５】
上部吹出し口６と下部吹出し口７とはケーシング２の前面に設けられている。上部吹出し口６は、ケーシング２の前面の上端に沿って設けられた横長形状の開口であり、室内へ吹き出される空気が通る。下部吹出し口７は、ケーシング２の前面の下端に沿って設けられた横長形状の開口であり、室内へ吹き出される空気が通る。なお、上部吹出し口６には、上部吹出し口６から吹き出される空気を案内する第１フラップ６１が回動自在に設けられており、第１フラップ６１によって上部吹出し口６を開閉することができる。また、下部吹出し口７には、下部吹出し口７から吹き出される空気を案内する第２フラップ６２が回動自在に設けられている。
【００２６】
第１側部吸込み口８と第２側部吸込み口９とは、ケーシング２の側面に設けられている。第１側部吸込み口８は、ケーシング２の右側面の前端に沿って設けられた縦長形状の開口であり、室内からケーシング２の内部に吸い込まれる空気が通る。第２側部吸込み口９は、ケーシング２の左側面の前端に沿って設けられた縦長形状の開口であり、室内からケーシング２の内部に吸い込まれる空気が通る。
【００２７】
上部吸込み部１０と下部吸込み部１１とはケーシング２の前面に設けられている。上部吸込み部１０は、上部吹出し口６の下方に設けられており、図４に示すように、第１吸込み開口１０ａと、第２吸込み開口１０ｂとを有する。第１吸込み開口１０ａと第２吸込み開口１０ｂとは、いずれも横長形状の開口であり、室内からケーシング２の内部に吸い込まれる空気が通る。
【００２８】
第１吸込み開口１０ａは、上部吹き出し口６の下方に配置されており、底面Ｂから６００ｍｍ以下の高さに位置している。第１吸込み開口１０ａの高さ方向寸法ｈ１は５ｍｍ以上であり、ここでは約１０ｍｍである。また、第１吸込み開口１０ａの後方には第１カバー部１７ａが設けられている。第１カバー部１７ａは、第１吸込み開口１０ａの下端から後斜め上方まで延びており、第１吸込み開口１０ａの後方を覆うように緩やかに湾曲した形状を有している。そして、第１カバー部１７ａの上端と第１吸込み開口１０ａの上端とを結ぶ線Ｌ１と、第１吸込み開口１０ａの上端を含む水平面Ｐ１とが成す角度ｄ１は、０°＜ｄ１≦４５°を満たしている。
【００２９】
第２吸込み開口１０ｂは第１吸込み開口１０ａの下方に配置されており、第１吸込み開口１０ａに近接している。第２吸込み開口１０ｂの高さ方向寸法ｈ２は５ｍｍ以上であり、ここでは約１０ｍｍである。従って、第１吸込み開口１０ａの高さ方向寸法ｈ１と、第２吸込み開口１０ｂの高さ方向寸法ｈ２とは概ね同じである。また、第２吸込み開口１０ｂの後方には第２カバー部１７ｂが設けられている。第２カバー部１７ｂは、第２吸込み開口１０ｂの下端から後斜め上方まで延びており、第２吸込み開口１０ｂの後方を覆うように緩やかに湾曲した形状を有している。そして、第２カバー部１７ｂの上端と第２吸込み開口１０ｂの上端とを結ぶ線Ｌ２と、第２吸込み開口１０ｂの上端を含む水平面Ｐ２とが成す角度ｄ２は、０°＜ｄ２≦４５°を満たしている。なお、ここでは、ｄ１＝ｄ２である。
【００３０】
下部吸込み部１１は、下部吹出し口７の上方に設けられており、図５に示すように、第３吸込み開口１８を有する。第３吸込み開口１８は、横長形状の開口であり、室内からケーシング２の内部に吸い込まれる空気が通る。第３吸込み開口１８は、底面Ｂから約１５０ｍｍの高さに位置している。第３吸込み開口１８の高さ方向寸法ｈ３は、第１吸込み開口１０ａの高さ方向寸法ｈ１および第２吸込み開口１０ｂの高さ方向寸法ｈ２よりも大きく、ここでは約２０ｍｍである。また、第３吸込み開口１８の後方には、第３カバー部１９が設けられている。第３カバー部１９は、第３吸込み開口１８の下端から後斜め上方まで延びており、第３吸込み開口１８の後方を覆うように緩やかに湾曲した形状を有している。そして、第３カバー部１９の上端と第３吸込み開口１８の上端とを結ぶ線Ｌ３と、第３吸込み開口１８の上端を含む水平面Ｐ３とが成す角度ｄ３は、０°＜ｄ３≦４５°を満たす。なお、ここでは、ｄ１＝ｄ３である。
【００３１】
なお、ケーシング２の前面のうち上部吸込み部１０と下部吸込み部１１との間には、開口が設けられていない平坦なフラットパネル部２０が設けられている。
【００３２】
また、ケーシング２は、ケーシング本体２１と、ケーシング本体２１の前面に着脱自在に取り付けられる前面パネル２２とを有しており、下部吹出し口７と、第１側部吸込み口８、第２側部吸込み口９、上部吸込み部１０、下部吸込み部１１は、前面パネル２２に設けられている。なお、上部吹出し口６は本体ケーシング２１に設けられている。
【００３３】
前面パネル２２は、ケーシング本体２１の前面よりも小さな外形を有しており、前面視において、上部吹出し口６の下方に配置されている。上部吸込み部１０は、前面パネル２２の上端近傍に配置されており、前面パネル２２の上部に設けられている。下部吹出し口７は、前面パネル２２の下端近傍に配置されている。また、下部吸込み部１１は上述したように下部吹出し口７の上方に設けられており、前面パネル２２の下部に設けられている。さらに、前面パネル２２の前面は、ケーシング本体２１の前面から前方に僅かな距離を隔てて配置されており、前面パネル２２の前面側端部とケーシング本体２１の前面とを繋ぐ前面パネル２２の側面に、第１側部吸込み口８および第２側部吸込み口９が設けられている。また、前面パネル２２の前面上端部とケーシング本体２１の前面とを繋ぐ前面パネル２２の上面と、前面パネル２２の前面下端とケーシング本体２１の前面とを繋ぐ前面パネル２２の下面とは閉じられている。なお、上部吸込み部１０および下部吸い込み部１１の近傍の前面パネル２２の厚みは、約２ｍｍである。
【００３４】
以上のように、前面パネル２２のフラットパネル部２０の周囲の上下左右４方向には、それぞれ第１側部吸込み口８、第２側部吸込み口９、上部吸込み部１０、下部吸込み部１１が配置されており、フラットパネル部２０の上下左右４方向から空気が吸い込まれる。
【００３５】
ケーシング本体２１は、前面が大きく開口しており、ケーシング本体２１の内部には、フィルター３ａ、室内熱交換器４、ベルマウス１３、送風装置５が、ケーシング本体２１の前面の開口に対向して、前方から後方に向けて順に配置されている。
【００３６】
また、ケーシング２の内部には、図３に示すように、吸い込み通路Ｐ１と吹き出し通路Ｐ２，Ｐ３とが形成されている。
【００３７】
吸い込み通路Ｐ１は、前面パネル２２の後方に形成されており、第１側部吸込み口８、第２側部吸込み口９、上部吸込み部１０、下部吸込み部１１から吸い込まれた空気をベルマウス１３の空気導入口１４まで案内する。吸い込み通路Ｐ１には、フィルター３ａ、室内熱交換器４が配置されている。
【００３８】
吹き出し通路Ｐ２，Ｐ３は、室内熱交換器４の下流において室内熱交換器４と対向して配置されるベルマウス１３の空気導入口１４（後述）から上部吹出し口６および下部吹出し口７まで案内する通路であり、第１吹き出し通路Ｐ２と第２吹き出し通路Ｐ３とを有する。第１吹き出し通路Ｐ２は、空気導入口１４から後方へ向かいファンカバー５３（後述）の内部を通って上部吹出し口６に繋がる通路である。第２吹き出し通路Ｐ３は、空気導入口１４から後方へ向かいファンカバー５３の内部を通って下部吹出し口７に繋がる通路である。
【００３９】
〔フィルター３ａ〕
フィルター３ａは、フラットパネル部２０の後方においてフラットパネル部２０に対向して配置されており、ケーシング本体２１の前面の開口を覆うように取り付けられている。フィルター３ａは、吸い込み通路Ｐ１を通る空気の流れにおいて、各吸込み口８−１１の下流に位置している。フィルター３ａは、各吸込み口８−１１から吸い込まれた空気を後方に透過させ、透過する空気を清浄化する。フィルター３ａの形状については後に詳述する。
【００４０】
〔室内熱交換器４〕
室内熱交換器４は、図示しない室外熱交換器と共に冷媒回路を構成しており、通過する空気との間で熱交換を行う。室内熱交換器４は、フィルター３ａの後方にフィルター３ａに対向して配置されており、吸い込み通路Ｐ１を通る空気の流れにおいて、フィルター３ａの下流に位置している。室内熱交換器４は、薄い板状の外形を有しており、前面視においてフィルター３ａと同程度の大きさを有する。室内熱交換器４は、フラットパネル部２０に平行に設けられている。
【００４１】
〔送風装置５〕
送風装置５は、室内熱交換器４の後方において室内熱交換器４に対向して配置されている。送風装置５は、吸い込み通路Ｐ１および吹き出し通路Ｐ２，Ｐ３を通る空気の流れにおいて、室内熱交換器４の下流に位置している。また、送風装置５は、遠心方向に風を吹き出す遠心ファンの一種であるターボファンであり、各吸込み口８−１１から吸い込まれ各吹出し口６，７から吹き出される空気の流れを生成する。送風装置５は、ファンロータ５１、ファンモータ５２、ファンカバー５３を有している。
【００４２】
ファンロータ５１は、回転軸ＡＸ１が前後方向に水平になるように配置されており、回転軸ＡＸ１から螺旋を描きながら離れるように配置された複数枚の羽根を有している。
【００４３】
ファンモータ５２は、ファンロータ５１を回転駆動する駆動源であり、ファンロータ５１の後方に配置される。
【００４４】
ファンカバー５３は、ファンロータ５１の前方に配置される部材であり、空気導入口１４から吹き出される空気をファンロータ５１に案内する。ファンカバー５３の前面には、ファンカバー５３内に取り込まれる空気が通る開口が設けられている。ファンカバー５３の前面の開口を通った空気は、ファンロータ５１によって遠心方向に吹き出されることにより上下に分岐し、上部吹出し口６および下部吹出し口７から室内に吹き出される。
【００４５】
ファンカバー５３は、ファンロータ５１およびファンモータ５２を収納したケーシングである。ファンカバー５３の前面には、ファンカバー５３内に取り込まれる空気が通る開口が設けられている。また、ファンカバー５３の上部および下部には、ファンカバー５３から吹き出される空気が通る開口が設けられている。送風装置５で生成された遠心方向へ吹き出す空気流れは、ファンカバー５３において上下に分岐して上部吹出し口６および下部吹出し口７から室内に吹き出される。
【００４６】
〔ベルマウス１３〕
ベルマウス１３は、室内熱交換器４と送風装置５との間に設けられており、吸い込み通路Ｐ１と吹き出し通路Ｐ２，Ｐ３とを仕切る部材である。ベルマウス１３は、平坦部１５と円管部１６とを有している。平坦部１５は、前面視において室内熱交換器４と同程度の大きさの外形を有しており、室内熱交換器４の後面に対向して室内熱交換器４と平行に設けられている。平坦部１５には、上述した空気導入口１４が設けられており、平坦部１５の空気導入口１４の周縁に円管部１６の前端が繋がっている。なお、円管部１６は前端側が拡径するように湾曲しており、空気導入口１４の周縁と緩やかに繋がっている。また、円管部１６の後端は、ファンカバー５３の前面の開口を通ってファンカバー５３の内部に入り込んでいる。なお、空気導入口１４は、前面視において室内熱交換器４よりも小さな外形を有しており、円管部１６も前面視において室内熱交換器４よりも小さな外形を有している。
【００４７】
＜特徴＞
（１）
この床置き型空気調和機１では、第１吸込み開口１０ａは底面Ｂから６００ｍｍ以下という比較的低い位置にあり、使用者の目線よりも低い位置にあることが多く、この場合、使用者は吸込み開口を斜め上方から見下ろすことになる。このため、角度ｄ１が４５°以下となる範囲は、使用者にとって死角となり易い。このため、角度ｄ１が４５°以下となるように第１カバー部１７ａを設けることによって、ケーシング２の内部の見え難さを確保することができる。また、角度ｄ１が０°を越えるように、すなわち、第１カバー部１７ａの上端が第１吸込み開口１０ａの上端よりも低くなるように第１カバー部１７ａを設けることによって、従来よりも吸い込み抵抗を低減することができる。このように、０°＜ｄ１≦４５°を満たすように第１カバー部１７ａが設けられることにより、外部からの見え難さをできる限り維持すると共に、吸い込み抵抗を低減することができる。
【００４８】
なお、上記の効果は、第２吸込み開口１０ｂおよび第２カバー部１７ｂに関しても同様である。
【００４９】
（２）
この床置き型空気調和機１では、第１吸込み開口１０ａの高さ方向寸法が約１０ｍｍであるため、高さ方向寸法が５ｍｍ未満の場合よりも内部の構造が見え易い。このため、内部の構造を外部から見え難くするためにカバー部が必要である。そこで、上記のように第１カバー部１７ａが設けられることにより、内部の構造を外部から見え難くすると共に、第１カバー部１７ａを設けることによる吸い込み抵抗の増大という弊害を抑えることができる。
【００５０】
なお、この効果は、第２吸込み開口１０ｂおよび第２カバー部１７ｂに関しても同様である。
【００５１】
（３）
この床置き型空気調和機１では、第１吸込み開口１０ａおよび第２吸込み開口１０ｂは前面パネル２２の上部に設けられている。一般に、吸込み開口が上方に設けられる程、使用者の視線の角度が浅くなる（水平に近くなる）ため、内部の構造が見え易くなる。また、吸込み開口の高さ方向寸法が大きいほど内部の構造が見え易くなる。そこで、この床置き型空気調和機１では、第１吸込み開口１０ａおよび第２吸込み開口１０ｂの高さ方向寸法ｈ１，ｈ２を比較的小さくすることによって内部の構造の見え難くしている。また、２つの吸込み開口を設けることにより、１つの吸込み開口の高さ方向寸法を小さくすると共に吸い込み空気の風量を確保することができる。
【００５２】
一方、第３吸込み開口１８は、前面パネル２２の下部に設けられているため、使用者の視線の角度がきつくなり、内部の構造が見え難い。このため、第３吸込み開口１８は、第１吸込み開口１０ａよりも高さ方向寸法が大きくても、内部の構造が見え難い。そこで、この床置き型空気調和機１では、第３吸込み開口１８の高さ方向寸法ｈ３が第１吸込み開口１０ａよりも大きくなっており、吸い込み抵抗が低くなっている。さらに、０°＜ｄ１≦４５°を満たすように第３カバー部１９が設けられるため、吸い込み抵抗がより低くなっている。また、使用者の視線に入り易い部分には第３カバー部１９が設けられているため、ケーシング２の内部の騒音が外部に漏れることを抑えることができ、遮音効果も奏することができる。
【００５３】
＜他の実施形態＞
（Ａ）
上記の実施形態では、０°＜ｄ１≦４５°であるが、より望ましくは５°≦ｄ１≦３５°である。角度ｄ２および角度ｄ３についても同様である。
【００５４】
（Ｂ）
上記の実施形態では、ｄ１＝ｄ２＝ｄ３であるが、角度ｄ１と角度ｄ２と角度ｄ３とがそれぞれ異なる大きさであってもよい。また、角度ｄ１と角度ｄ２とが同じ大きさであり角度ｄ３のみが異なる大きさであってもよい。例えば、角度ｄ３が角度ｄ１および角度ｄ２より大きくてもよい。第３吸込み開口１８は第１吸込み開口１０ａおよび第２吸込み開口１０ｂよりも下方に位置しているため、使用者の死角となる部分が大きく、角度ｄ３が角度ｄ１より大きくても内部の構造を外部から見え難くすることができる。
【産業上の利用可能性】
【００５５】
本発明は、内部の構造を外部から見え難くすることができると共に吸い込み抵抗の増大を抑えることができる効果を有し、床置き型空気調和機として有用である。
【図面の簡単な説明】
【００５６】
【図１】床置き型空気調和機の前面図。
【図２】床置き型空気調和機の側面図。
【図３】床置き型空気調和機の側面断面図。
【図４】上部吸込み部近傍の側面断面図。
【図５】下部吸込み部近傍の側面断面図。
【符号の説明】
【００５７】
１      床置き型空気調和機
１０ａ  第１吸込み開口
１０ｂ  第２吸込み開口
１７ａ  第１カバー部
１７ｂ  第２カバー部
１８    第３吸込み開口
１９    第３カバー部
２２    前面パネル
Ｂ      底面